(57)【要約】      （修正有）【課題】自分にあったフィンを選択して、効率のよい泳ぎを実現する。【解決手段】足の間で一つのフィン２を形成し、ドルフィンキックを行えばイルカの様に泳ぐことが可能である。フィンのタイプは足先から股にかけて５パターンある。パターン１は足先から足首までのフィン。パターン２は足首からひざまでのフィン。パターン３は足先からひざまでのフィン。パターン４はタイツ式水着に装着された足首から股までのフィン。パターン５はタイツ式水着に装着された足先から股までのフィンである。材質はナイロン、ウレタン、シリコン、ゴム製など各種採用が可能である。各パターンにおいて、中間の固定方法はファスナーとマジックテープ（Ｒ）の組み合わせやマジックテープだけのパターンも可能である。また、フィンの中央をファスナー、マジックテープで接続できるようにすれば、フィンを分割することでバタ足ができたり、歩行も容易に行うことができる。【選択図】図１
2012239852.tif 000002
【特許請求の範囲】
【請求項１】
水を捉える面積を増加させるために、両足を約２０〜４０ｃｍ広げ、両足の間に身体から突き出ることなく形成された、パターン１（足先〜足首）、パターン２（足首〜ひざ）、パターン３（足先〜ひざ）、パターン４（タイツ式水着で足首〜股）、パターン５（タイツ式水着で足先〜股）の５パターンがあり、材質がナイロン、ウレタン、シリコン、ゴムなどで製作できていて、両足にファスナー、マジックテープなどで固定ができる、中央の分割が可能で、中央の接続方法で幅を変更できる両足の間に形成するフィン。
【発明の詳細な説明】
【技術分野】
【０００１】  本発明は、水泳に活用できる足フィン「イルカちゃん」に関する。
【背景技術】
【０００２】  水の中を効率よく泳ぎたい。
身体全体をフィンにして効率よく泳ぐことはできないだろうか。
身体から突き出ることなくフィンを形成すれば、水を捉える面積が増加するため効率のよい泳ぎができ、しかもフィンが足から外側に出ないため周囲に迷惑をかけることなく泳げる。
フィンのタイプは足先から股にかけて５パターンある。
パターン１は足先から足首までのフィンである。
パターン２は足首からひざまでのフィンである。
パターン３は足先からひざまでのフィンである。
パターン４はタイツ式水着に装着された足首から股までのフィンである。
パターン５はタイツ式水着に装着された足先から股までのフィンである。
自分にあったフィンを選択して、効率のよい泳ぎを実現することが可能である。
【先行技術文献】
【特許文献】
【特許文献１】
【非特許文献】
【非特許文献１】
【発明の概要】
【発明が解決しようとする課題】
【０００３】  水の中を効率よく泳ぎたい。
身体全体をフィンにして効率よく泳ぐことはできないだろうか。
身体から突き出ることなくフィンを形成すれば、水を捉える面積が増加するため効率のよい泳ぎができ、しかもフィンが足から外側に出ないため周囲に迷惑をかけることなく泳げる。
フィンのタイプは足先から股にかけて５パターンある。
パターン１は足先から足首までのフィンである。
パターン２は足首からひざまでのフィンである。
パターン３は足先からひざまでのフィンである。
パターン４はタイツ式水着に装着された足首から股までのフィンである。
パターン５はタイツ式水着に装着された足先から股までのフィンである。
自分にあったフィンを選択して、効率のよい泳ぎを実現することが可能である。
【課題を解決するための手段】
【０００４】  本発明は上記目的を達成するために考案された、水泳用具「イルカちゃん」である。
足の間で一つのフィンを形成し、ドルフィンキックを行えばイルカの様に泳ぐことが可能である。
この「イルカちゃん」は足の外側に出ることがないため、周囲に迷惑をかけることはない。
フィンのタイプは足先から股にかけて５パターンある。
パターン１は足先から足首までのフィンである。
パターン２は足首からひざまでのフィンである。
パターン３は足先からひざまでのフィンである。
パターン４はタイツ式水着に装着された足首から股までのフィンである。
パターン５はタイツ式水着に装着された足先から股までのフィンである。
材質はナイロン、ウレタン、シリコン、ゴム製など各種採用が可能である。
装着方法は以下のとおりである。
パターン１は足先から足首までは靴のように履きこみ、口元はマジックテープで固定する。
パターン２は足首からひざまでは外側サイドをファスナーとマジックテープで固定し、ひざの端部はマジックテープで固定する。
パターン３は足先から足首までは靴のように履きこみ、足首からひざまでは外側サイドをファスナーとマジックテープで固定し、ひざの端部はマジックテープで固定する。。
パターン４は足首から腰までのタイツ式水着に足首から股までのフィンが装着されている。
パターン５は足先から腰までのタイツ式水着に足先から股までのフィンが装着されている。
各パターンにおいて、中間の固定方法はファスナーとマジックテープの組み合わせやマジックテープだけのパターンも可能である。
またオプションとして、フィンの中央をファスナー、マジックテープで接続できるようにすれば、フィンを分割することでバタ足ができたり、歩行も容易に行うことができる。
選択した水泳用具「イルカちゃん」を足に取り付ける。
固定が終了した後、動きやフィット感などを確認する。
両足が固定されているので、慎重に入水する。
両足でドルフィンキックを行い、滑らかに身体をくねらせるように動かす。
またバタフライで「イルカちゃん」を使用しても効果がある。
ひれの変形防止のために、足のバタ足に気をつける。
オプションでフィンの中央を分割すれば、バタ足や歩行を容易に行うことができる。
【発明の効果】
【０００５】  上述したように本発明の「イルカちゃん」は、ドルフィンキックでの泳ぎのすばらしさを体験できる。
足の間にフィンを形成することで、水の抵抗を低減し効率よい泳ぎを実現することが可能である。
身体からフィンが突き出ず周囲に迷惑をかけることがないため、ひれが許可されていない市民プールなどでも使用することが可能である。
【図面の簡単な説明】
【０００６】
【図１】  「イルカちゃん」パターン１（足先〜足首）を示した正面図、斜め前図、側面図
【図２】  「イルカちゃん」パターン２（足首〜ひざ）を示した正面図、斜め前図、側面図
【図３】  「イルカちゃん」パターン３（足先〜ひざ）を示した正面図、斜め前図、側面図
【図４】  「イルカちゃん」パターン４（足首〜股）を示した正面図、斜め前図、側面図
【図５】  「イルカちゃん」パターン５（足先〜股）を示した正面図、斜め前図、側面図
【図６】  「イルカちゃん」パターン３（足先〜ひざ）の幅拡大図、幅縮小図を示した正面図、断面図
【発明を実施するための形態】
【０００７】以下、本発明の実施の形態を図１〜図６に基づいて説明する。
図１において１は人体である。
図１において２はフィン本体である。
図１において３は中央分割部である。
図１において４は足首固定バンドである。
図２において１は人体である。
図２において２はフィン本体である。
図２において３は中央分割部である。
図２において５はひざ部固定バンドである。
図２において６は足首固定バンドである。
図２において７は足外側フィン取り付け部である。
図３において１は人体である。
図３において２はフィン本体である。
図３において３は中央分割部である。
図３において５はひざ部固定バンドである。
図３において７は足外側フィン取り付け部である。
図４において１は人体である。
図４において３は中央分割部である。
図４において９は足首から腰までのタイツ式水着である。
図４において１１は足首から股までのフィンである。
図５において１は人体である。
図５において３は中央分割部である。
図５において１０は足先から腰までのタイツ式水着である。
図５において１２は足先から股までのフィンである。
図６において１は人体である。
図６において２はフィンである。
図６において１３はフィンを固定した足である。
図６において１４は中央分割部のファスナー（オス側）である。
図６において１５は中央分割部のファスナー（メス側）である。
図６において１６は幅縮小部のファスナー（オス側）である。
図６において１７は幅縮小部のファスナー（メス側）である。
【産業上の利用可能性】
【０００８】  今までの４泳法とは違ったドルフィンタイプでの泳ぎが可能になる。
足にフィンをつけた形になるが、ゆっくりした動きで泳ぎのスピードを確保できるので、泳ぎに充実感がある。
フィンは携帯に便利で、しかも装着時に身体から突き出ないため、周囲に迷惑をかけることがない。
また、フィンの中央が分割できるので、装着したままでの歩行が可能である。
しかもオプションではあるが、接続方法によりフィンの幅を変化させることができる。
このフィンにより新たな水泳の世界が広がる。
【符号の説明】
【０００９】  １：人体
２：フィン本体
３：中央分割部
４：足首固定バンド（足先〜足首）
５：ひざ部固定バンド
６：足首固定バンド（足首〜ひざ）
７：足外側フィン取り付け部（足首〜ひざ）
８：足外側フィン取り付け部（足先〜ひざ）
９：タイツ式水着（足首〜腰）
１０：タイツ式水着（足先〜腰）
１１：タイツ式フィン本体（足首〜股）
１２：タイツ式フィン本体（足先〜股）
１３：フィンを固定した足
１４：中央分割部のファスナー（オス側）
１５：中央分割部のファスナー（メス側）
１６：幅縮小部のファスナー（オス側）
１７：幅縮小部のファスナー（メス側）
【図１】
2012239852.tif 000003
【図２】
2012239852.tif 000004
【図３】
2012239852.tif 000005
【図４】
2012239852.tif 000006
【図５】
2012239852.tif 000007
【図６】
2012239852.tif 000008